【手続補正書】
【提出日】平成26年12月8日(2014.12.8)
【手続補正１】
【補正対象書類名】特許請求の範囲
【補正対象項目名】全文
【補正方法】変更
【補正の内容】
【特許請求の範囲】
【請求項１】
第１の機械部分（８）を第２の機械部分（９）に対して回転可能に支持する円錐ころ軸受であって、円錐形の転動体（６）とケージセグメント（７）とを有していて、該ケージセグメント（７）はそれぞれ、
互いに向かい合って位置している２つの周囲ウェブ（１０）であって、それぞれ前記ケージセグメント（７）の第１の周囲端部（１３）と第２の周囲端部（１４）との間を延びている周囲ウェブ（１０）と、
互いに向かい合って位置している少なくとも２つの結合ウェブ（１１）であって、前記両周囲ウェブ（１０）を互いに結合していて、該周囲ウェブ（１０）と共に、前記円錐形の転動体（６）を収容するための少なくとも１つのポケット（１２）を形成する結合ウェブ（１１）と、を備えており、
前記周囲ウェブ（１０）と前記結合ウェブ（１１）とは、前記ポケット（１２）を画定するポケット面を有し、
前記周囲ウェブ（１０）と、第１の周囲端部（１３）及び第２の周囲端部（１４）の領域に配置された前記結合ウェブ（１１）とは、前記ポケット面とは反対側に位置する周囲面を有し、
前記結合ウェブ（１１）は、それぞれ該結合ウェブ（１１）のポケット面に、凹面状に成形された第１のガイド面（１６）と凹面状に成形された第２のガイド面（１７）とを有し、かつ第１の周囲端部（１３）又は第２の周囲端部（１４）の領域に配置された前記結合ウェブ（１１）は、追加的にそれぞれその周囲面に、転動体（６）を該転動体（６）の周方向において部分的に取り囲むために、凹面状に成形された第１のガイド面（１６）を有し、
第１のガイド面（１６）及び第２のガイド面（１７）は、同じ結合ウェブ（１１）のポケット面に隣接する、前記結合ウェブ（１１）の前記ポケット面において、前記ポケット（１２）内に配置された転動体（６）を、第１の方向及び、該第１の方向とは逆向きの第２の方向において、形状接続式に脱落を防止し、かつこれによって前記転動体（６）を紛失しないように前記ポケット（１２）内において固定し、
前記ケージセグメント（７）は、前記転動体によって案内されていることを特徴とする、円錐ころ軸受。
【請求項２】
第１の機械部分（８）を第２の機械部分（９）に対して回転可能に支持する円錐ころ軸受であって、円錐形の転動体（６）とケージセグメント（７）とを有していて、該ケージセグメント（７）はそれぞれ、
互いに向かい合って位置している２つの周囲ウェブ（１０）であって、それぞれ前記ケージセグメント（７）の第１の周囲端部（１３）と第２の周囲端部（１４）との間を延びている周囲ウェブ（１０）と、
互いに向かい合って位置している少なくとも２つの結合ウェブ（１１）であって、前記両周囲ウェブ（１０）を互いに結合していて、該周囲ウェブ（１０）と共に、前記円錐形の転動体（６）を収容するための少なくとも１つのポケット（１２）を形成する結合ウェブ（１１）と、を備えており、
前記周囲ウェブ（１０）と前記結合ウェブ（１１）とは、前記ポケット（１２）を画定するポケット面を有し、
前記周囲ウェブ（１０）と、第１の周囲端部（１３）及び第２の周囲端部（１４）の領域に配置された前記結合ウェブ（１１）とは、前記ポケット面とは反対側に位置する周囲面を有し、
第１の周囲端部（１３）及び第２の周囲端部（１４）の領域に配置された前記結合ウェブ（１１）は、それぞれ該結合ウェブ（１１）のポケット面及び該結合ウェブ（１１）の周囲面に、転動体（６）を該転動体（６）の周方向において部分的に取り囲むために、凹面状に成形された第１のガイド面（１６）を有し、
前記周囲ウェブ（１０）は、次の場合に、すなわち、前記ケージセグメント（７）の第１の周囲端部（１３）と、該ケージセグメント（７）と同一に形成された別のケージセグメント（７）の第２の周囲端部（１４）との間に、ポケット（１２）内に収容するために形成された転動体（６）が配置されている場合に、最大でも、前記周囲ウェブ（１０）が、前記別のケージセグメント（７）の周囲ウェブ（１０）に接触し得ないような程度にしか、第１の周囲端部（１３）及び第２の周囲端部（１４）を越えて突出していないようになっており、
前記ケージセグメント（７）は、前記転動体によって案内されていることを特徴とする、円錐ころ軸受。
【請求項３】
前記結合ウェブはそれぞれそのポケット面に、凹面状に成形された第２のガイド面（１７）を、１つの転動体（６）を該転動体（６）の周方向において部分的に取り囲むために有する、請求項２記載の円錐ころ軸受。
【請求項４】
前記結合ウェブ（１１）の前記周囲面における第１のガイド面（１６）は、前記結合ウェブ（１１）の前記ポケット面における第１のガイド面（１６）に対して、形状及び配置形態に関して同様に形成されている、請求項１から３までのいずれか１項記載の円錐ころ軸受。
【請求項５】
すべての結合ウェブ（１１）はそのポケット面において同一に形成されている、請求項１から４までのいずれか１項記載の円錐ころ軸受。
【請求項６】
前記周囲ウェブ（１０）はそれぞれ、前記結合ウェブ（１１）のうちの１つにおいて始まり、かつ前記結合ウェブ（１１）のうちの１つにおいて終わる、請求項１から５までのいずれか１項記載の円錐ころ軸受。
【請求項７】
第１のガイド面（１６）及び第２のガイド面（１７）は、同じ結合ウェブ（１１）のポケット面に、前記ポケット（１２）内に配置された転動体（６）を、異なった周囲領域及び／又は異なった軸方向領域において取り囲む、請求項１又は３から６までのいずれか１項記載の円錐ころ軸受。
【請求項８】
前記結合ウェブ（１１）に、円錐ころ軸受の内側の転動体軌道（３）において前記ケージセグメントを支持するための第１の突出部（２０）が形成され、かつ／又は、円錐ころ軸受の外側の転動体軌道（５）において前記ケージセグメント（７）を支持するための第２の突出部（２１）が形成されている、請求項１から７までのいずれか１項記載の円錐ころ軸受。
【請求項９】
第１の突出部（２０）が前記両周囲ウェブ（１０）の間において延びている第１の領域と、第２の突出部（２１）が前記両周囲ウェブ（１０）の間において延びている第２の領域とが、互いにオーバラップしていない、請求項８記載の円錐ころ軸受。
【請求項１０】
前記ケージセグメント（７）は、取付け位置を明瞭に特徴付けるマーキング（２２）を有する、請求項１から９までのいずれか１項記載の円錐ころ軸受。
【請求項１１】
第１の機械部分（８）を第２の機械部分（９）に対して回転可能に支持する円錐ころ軸受であって、
各１つの回転軸線を有する円錐形の転動体（６）と、
それぞれ少なくとも１つの転動体（６）を収容しかつそれぞれ１つの第１の周囲端部（１３）と第２の周囲端部（１４）とを有するケージセグメント（７）と、を備えた円錐ころ軸受において、
すべての転動体（６）の回転軸線は、１つの共通の円錐面に配置されており、
前記ケージセグメント（７）は円錐ころ軸受の周方向において、互いに次のように、すなわち、各２つのケージセグメント（７）の間に各１つの転動体（６）が配置されていて、該転動体（６）が、ケージセグメント（７）内に収容されておらず、前記２つのケージセグメント（７）同士の接触を持続的に阻止するように、配列されており、
前記ケージセグメント（７）は、前記転動体によって案内されていることを特徴とする円錐ころ軸受。
【請求項１２】
前記ケージセグメント（７）は、その第１の周囲端部（１３）及び第２の周囲端部（１４）の領域に、それぞれ１つの凹面状に成形された第１のガイド面（１６）を有し、該第１のガイド面（１６）は、前記ケージセグメント（７）の間に配置された転動体（６）をその周方向において部分的に取り囲む、請求項１１記載の円錐ころ軸受。
【請求項１３】
前記ケージセグメント（７）は互いに機械式に結合されていない、請求項１１から１２までのいずれか１項記載の円錐ころ軸受。
【請求項１４】
前記ケージセグメント（７）は、請求項１から１０までのいずれか１項記載のように形成されている、請求項１１から１３までのいずれか１項記載の円錐ころ軸受。
【手続補正２】
【補正対象書類名】明細書
【補正対象項目名】発明の名称
【補正方法】変更
【補正の内容】
【発明の名称】円錐ころ軸受
【手続補正３】
【補正対象書類名】明細書
【補正対象項目名】０００１
【補正方法】変更
【補正の内容】
【０００１】
本発明は、第１の機械部分を第２の機械部分に対して回転可能に支持する円錐ころ軸受、特に風力発電機のロータ軸を回転可能に支持する円錐ころ軸受に関する。
【手続補正４】
【補正対象書類名】明細書
【補正対象項目名】０００２
【補正方法】変更
【補正の内容】
【０００２】
このような円錐ころ軸受のケージセグメントは、ＤＥ１０２４６８２５Ａに基づいて公知である。この公知のケージセグメントは、その端面において互いに接触して配列することができるので、特に、比較的小さなころを備えた極めて大きなころ軸受において使用するのに適した、ケージを、比較的僅かな手間で形成することができる。
【手続補正５】
【補正対象書類名】明細書
【補正対象項目名】０００７
【補正方法】変更
【補正の内容】
【０００７】
第１の機械部分を第２の機械部分に対して回転可能に支持する本発明による円錐ころ軸受は、円錐形の転動体とケージセグメントとを有している。ケージセグメントはそれぞれ、互いに向かい合って位置している２つの周囲ウェブを有し、該両周囲ウェブは、それぞれケージセグメントの第１の周囲端部と第２の周囲端部との間を延びている。さらにケージセグメントはそれぞれ、互いに向かい合って位置している少なくとも２つの結合ウェブを有し、該結合ウェブは、両周囲ウェブを互いに結合していて、該周囲ウェブと共に、円錐形の転動体を収容するための少なくとも１つのポケットを形成している。周囲ウェブと結合ウェブとは、ポケットを画定するポケット面を有する。さらに周囲ウェブと、第１の周囲端部及び第２の周囲端部の領域に配置された結合ウェブとは、ポケット面とは反対側に位置する周囲面を有する。第１の周囲端部及び第２の周囲端部の領域に配置された結合ウェブは、それぞれ該結合ウェブのポケット面と周囲面とに、転動体を該転動体の周方向において部分的に取り囲むために、凹面状に成形された第１のガイド面を有する。周囲ウェブは、次の場合に、すなわち、ケージセグメントの第１の周囲端部と、該ケージセグメントと同一に形成された別のケージセグメントの第２の周囲端部との間に、ポケット内に収容するために形成された転動体が配置されている場合に、最大でも、周囲ウェブが、別のケージセグメントの周囲ウェブに接触し得ないような程度にしか、第１の周囲端部及び第２の周囲端部を越えて突出していない。ケージセグメントは、転動体によって案内されている。
【手続補正６】
【補正対象書類名】明細書
【補正対象項目名】０００９
【補正方法】変更
【補正の内容】
【０００９】
本発明によるころがり軸受のケージセグメントは、該ケージセグメントが、極めて大きな円錐ころ軸受において使用するのに適していて、そこで生じる負荷に耐えられるという利点を有する。さらに本発明によるケージセグメントは、良好な取付け可能性のみならず、僅かなコストと僅かな重量とによって傑出している。ポケット形状は、転動体の確実な収容と、転動体におけるケージセグメントの確実な案内とを可能にする。
【手続補正７】
【補正対象書類名】明細書
【補正対象項目名】００１１
【補正方法】変更
【補正の内容】
【００１１】
別の態様では、第１の機械部分を第２の機械部分に対して回転可能に支持する本発明による円錐ころ軸受は、円錐形の転動体とケージセグメントとを有していて、該ケージセグメントは、互いに向かい合って位置している各２つの周囲ウェブを有し、該両周囲ウェブは、それぞれケージセグメントの第１の周囲端部と第２の周囲端部との間を延びている。さらにケージセグメントはそれぞれ、互いに向かい合って位置している少なくとも２つの結合ウェブを有し、該少なくとも２つの結合ウェブは、前記両周囲ウェブを互いに結合していて、該周囲ウェブと共に、円錐形の転動体を収容するための少なくとも１つのポケットを形成している。前記周囲ウェブと前記結合ウェブとは、前記ポケットを画定するポケット面を有する。さらに前記周囲ウェブと、第１の周囲端部及び第２の周囲端部の領域に配置された前記結合ウェブとは、前記ポケット面とは反対側に位置する周囲面を有する。前記結合ウェブは、それぞれ該結合ウェブのポケット面に、転動体を該転動体の周方向において部分的に取り囲むために、凹面状に成形された第１のガイド面及び凹面状に成形された第２のガイド面を有し、かつ第１の周囲端部又は第２の周囲端部の領域に配置された前記結合ウェブは、追加的にそれぞれ該結合ウェブの周囲面に、転動体を該転動体の周方向において部分的に取り囲むために、凹面状に成形された第１のガイド面を有する。第１のガイド面及び第２のガイド面は、同じポケットに隣接する、前記結合ウェブのポケット面に、前記ポケット内に配置された転動体を、第１の方向及び、該第１の方向とは逆向きの第２の方向において、形状接続式に脱落を防止し、かつこれによって前記転動体を紛失しないように前記ポケット内において固定する。ケージセグメントは、転動体によって案内されている。
【手続補正８】
【補正対象書類名】明細書
【補正対象項目名】００１５
【補正方法】変更
【補正の内容】
【００１５】
周囲ウェブ及び結合ウェブはそれぞれ、円錐ころ軸受の内側の転動体軌道に向く内側の軌道面と、円錐ころ軸受の外側の転動体軌道に向く外側の軌道面とを有することができる。周囲ウェブの内側の軌道面及び／又は外側の軌道面は、それぞれ同じポケットの領域において、平らな面として形成されていてよい。結合ウェブの内側の軌道面及び／又は外側の軌道面は、平らな面として形成されていてよい。すべての周囲ウェブの内側の軌道面及び、同じポケットを画定する結合ウェブは、それぞれ、１つの共通の平面の１構成部分として形成された部分面を有することができる。すべての周囲ウェブの外側の軌道面及び、同じポケットを画定する結合ウェブは、それぞれ、１つの共通の平面の１構成部分として形成された部分面を有することができる。
【手続補正９】
【補正対象書類名】明細書
【補正対象項目名】００１６
【補正方法】変更
【補正の内容】
【００１６】
ケージセグメントは、それぞれ正確に１つのポケットを有することができる。このように形成されたケージセグメントは、特に高い機械的な安定性と、極めて万能な使用可能性とによって傑出している。
【手続補正１０】
【補正対象書類名】明細書
【補正対象項目名】００１８
【補正方法】変更
【補正の内容】
【００１８】
ケージセグメントは、プラスチックから製造されていてよい。このように形成されたケージセグメントは、特に、その僅かな重量、安価な製造、及び比較的高いフレキシビリティによって傑出している。特にケージセグメントはそれぞれ、ポリフェニレンスルフィド又はポリエーテルエーテルケトンから製造することができる。両材料は、極めて良好な耐経年劣化性と高い耐用寿命とによって傑出しているので、ケージセグメントを、極めて長い運転時間にわたって使用することができる。
【手続補正１１】
【補正対象書類名】明細書
【補正対象項目名】００２４
【補正方法】変更
【補正の内容】
【００２４】
ケージセグメントはそれぞれ、第１の突出部が両周囲ウェブの間において延びている第１の領域と、第２の突出部が両周囲ウェブの間において延びている第２の領域とが、互いにオーバラップしないように、形成されていてよい。
【手続補正１２】
【補正対象書類名】明細書
【補正対象項目名】００２５
【補正方法】変更
【補正の内容】
【００２５】
ケージセグメントはそれぞれ、取付け位置を明瞭に特徴付けるマーキングを有することができる。このような態様は、円錐ころ軸受へのケージセグメントの位置適正な取付けを容易にする。
【手続補正１３】
【補正対象書類名】明細書
【補正対象項目名】００２６
【補正方法】変更
【補正の内容】
【００２６】
本発明はさらに、第１の機械部分を第２の機械部分に対して回転可能に支持する円錐ころ軸受に関する。この円錐ころ軸受は、各１つの回転軸線を有する円錐形の転動体を有する。円錐ころ軸受はさらに、それぞれ少なくとも１つの転動体を収容しかつそれぞれ１つの第１の周囲端部と第２の周囲端部とを有するケージセグメントを有する。すべての転動体の回転軸線は、１つの共通の円錐面に配置されている。ケージセグメントは円錐ころ軸受の周方向において、互いに次のように、すなわち、各２つのケージセグメントの間に各１つの転動体が配置されていて、該転動体が、１つのケージセグメント内に収容されておらず、前記２つのケージセグメント同士の接触を持続的に阻止するように、配列されている。ケージセグメントは、転動体によって案内されている。
【手続補正１４】
【補正対象書類名】明細書
【補正対象項目名】００２７
【補正方法】変更
【補正の内容】
【００２７】
このように形成された円錐ころ軸受は、良好な走行特性及び長い耐用寿命によって傑出している。転動体によって案内されているケージセグメントは、極めて正確で摩耗の少ない案内が可能であるという利点を有している。
【手続補正１５】
【補正対象書類名】明細書
【補正対象項目名】００２９
【補正方法】削除
【補正の内容】